(57)【要約】  本発明の実施例によれば、手術処置の複数の手術工程の各々は、GUI(115)を用いて定義されると共に、手術用コンソール(100)の機能に対して関係付けられ得る。定義済み手術処置は次に保存されると共に、上記手術用コンソールのユーザにより後時に呼び出されて該手術処置が行われ得る。保存された上記手術処置が呼び出されたとき、複数の定義済み手術工程がユーザに対して表示されるので、ユーザは、表示された手術工程が選択されたときに上記手術用コンソールはその手術工程に関係付けられた機能に従い設定される如く、表示された各手術工程を見ながら上記手術処置を行い得る。
2009528144.tif 000002
【特許請求の範囲】
【請求項１】
手術用コンソールに対して第1のGUI（グラフィカル・ユーザー・インターフェイス）を配備する段階であって、該第1のGUIは手術処置のひとつ以上の手術工程の各々を表示し、上記手術工程の各々は上記手術用コンソールのひとつの機能に対応するという段階と、
上記ひとつ以上の手術工程の上記表現物の内から第1の手術工程の表現物が選択されたことを検出する段階と、
上記第1の手術工程に対応する機能に従い上記手術用コンソールを設定する段階とを備えて成る、
手術処置を行う方法。
【請求項２】
前記第1手術工程に対して定義された下位モードに従い前記手術用コンソールを設定する段階を更に備えて成る、請求項１に記載の方法。
【請求項３】
前記表示されたひとつ以上の手術工程の各々は対応ラベルを有する、請求項１に記載の方法。
【請求項４】
前記表示されたひとつ以上の手術工程の内から第2の手術工程が選択されたことを検出する段階と、
上記第2の手術工程に対応する機能に従い前記手術用コンソールを設定する段階とを更に備えて成る、請求項１に記載の方法。
【請求項５】
第2のGUIを用いて前記手術処置を定義する段階を更に備えて成り、
上記手術処置を定義する該段階は、
前記ひとつ以上の手術工程を作成する段階であって、上記手術工程の各々を作成する該段階は上記手術工程をラベル付けする段階を含むという段階と、
前記手術用コンソールの対応機能を上記手術工程の各々に対して関係付ける段階とを備えて成る、請求項１に記載の方法。
【請求項６】
前記定義済み手術処置を保存する段階と、該定義済み手術処置を呼び出す段階とを更に備えて成る、請求項５に記載の方法。
【請求項７】
プロセッサにより実行可能である命令であって、
手術用コンソールに対して第1GUIを配備する段階であって、該第1GUIは手術処置のひとつ以上の手術工程の各々を表示し、上記手術工程の各々は上記手術用コンソールのひとつの機能に対応するという段階と、
上記ひとつ以上の手術工程の上記表示された手術工程の各々の内から第1の手術工程が選択されたことを検出し、且つ、
上記第1手術工程に対応する機能に従い上記手術用コンソールを設定するためにプロセッサにより実行可能であるという命令、
を含む一群のコンピュータ命令を備えて成るコンピュータ可読媒体。
【請求項８】
前記命令は、前記第1手術工程に対して定義された下位モードに従い前記手術用コンソールを設定するために実行可能である、請求項７に記載のコンピュータ可読媒体。
【請求項９】
前記表示された手術工程の各々は対応ラベルを有する、請求項７に記載のコンピュータ可読媒体。
【請求項１０】
前記命令は、
前記表示されたひとつ以上の手術工程の内から第2の手術工程が選択されたことを検出し、且つ、
上記第2手術工程に対応する機能に従い前記手術用コンソールを設定するために実行可能である、請求項７に記載のコンピュータ可読媒体。
【請求項１１】
前記命令は、第2のGUIを用いて前記手術処置を定義するために実行可能であり、
上記手術処置を定義する該段階は、
前記ひとつ以上の手術工程を作成する段階であって、上記手術工程の各々を作成する該段階は上記手術工程をラベル付けする段階を含むという段階と、
前記手術用コンソールの対応機能を上記手術工程の各々に対して関係付ける段階とを備えて成る、請求項７に記載のコンピュータ可読媒体。
【請求項１２】
前記命令は、前記定義済み手術処置を保存し、且つ、該定義済み手術処置を呼び出すために実行可能である、請求項１１に記載のコンピュータ可読媒体。
【請求項１３】
ディスプレイと、
手術用コンソールと、
上記ディスプレイおよび上記手術用コンソールに対して結合されたコントローラであって、
手術用コンソールに対して第1GUIを配備する段階であって、該第1GUIは手術処置のひとつ以上の手術工程の各々を表示し、上記手術工程の各々は上記手術用コンソールのひとつの機能に対応するという段階と、
上記表示されたひとつ以上の手術工程の内から第1の手術工程が選択されたことを検出する段階と、
上記第1手術工程に対応する機能に従い上記手術用コンソールを設定する段階と、
を行うべく構成されたコントローラとを備えて成る、
手術システム。
【請求項１４】
前記コントローラは更に、前記第1手術工程に対して定義された下位モードに従い前記手術用コンソールを設定すべく構成される、請求項１３に記載の手術システム。
【請求項１５】
前記表現物の各々は対応ラベルを有する、請求項１３に記載の手術システム。
【請求項１６】
前記コントローラは更に、
前記表示されたひとつ以上の手術工程の内から第2の手術工程が選択されたことを検出し、且つ、
上記第2の手術工程に対応する機能に従い前記手術用コンソールを設定すべく構成される、請求項１３に記載の手術システム。
【請求項１７】
前記コントローラは更に、前記手術処置が第2のGUIを用いて定義できるように構成され、
上記手術処置を定義する該段階は、
前記ひとつ以上の手術工程を作成する段階であって、上記手術工程の各々を作成する該段階は上記手術工程をラベル付けする段階を含むという段階と、
前記手術用コンソールの対応機能を上記手術工程の各々に対して関係付ける段階とを備えて成る、請求項１３に記載の手術システム。
【請求項１８】
前記コントローラは更に、前記手術処置を定義し、且つ、該定義済み手術処置を呼び出すべく構成される、請求項１７に記載の手術システム。
【発明の詳細な説明】
【技術分野】
【０００１】
本発明は、手術処置(surgical procedure)に関する。より詳細には本発明の実施例は、眼科手術用システムを用いる手術処置に関する。更に詳細には、本発明の実施例は、眼科手術用システムを用いて手術処置を定義し又は手術処置を行うためのシステムおよび方法に関する。
【背景技術】
【０００２】
人間の目は、軽度の機能低下から完全な失明に亙る視覚機能低下を引き起こす多数の疾患を蒙り得る。コンタクトレンズおよび眼鏡は一定の病気を補償し得るが、他の病気に対しては眼科手術が必要とされる。概略的に眼科手術は、硝子体網膜処置の如き後眼部処置、および、白内障手術の如き前眼部処置に分類される。更に最近では、前眼部および後眼部の同時処置が開発されている。
【０００３】
眼科手術に対して使用される手術機器は、前眼部処置もしくは後眼部処置に対して特化されるか、または、両方をサポートし得る。斯かる手術機器は、硝子体網膜／白内障顕微手術用コンソールを備え得る。斯かる手術用コンソールは、手術処置および手術機器に依存して種々の機能を提供し得る。たとえば手術用コンソールは、手術部位に出入りする潅流および吸引流の管理を助力することにより、(たとえば超音波水晶体乳化吸引処置などの)白内障手術を促進し得る。また当然乍ら、手術用コンソールは他の機能を提供し得る。
【０００４】
故に硝子体網膜／白内障顕微手術用コンソールは通常は、硝子体切除、真空引きなどの、定められた一群の機能を有している。現在、これらの手術システムに対するインタフェースによればユーザは、該システムの機能のみに基づいて手術システムと対話処理できる。故に、ユーザがひとつの機能を実施することを意図するなら、該ユーザはこの機能を一群の機能から選択すると共に、該機能を使用するために所望のパラメータを設定せねばならない。手術用コンソールに対するこの対話処理方法は相当に非効率的である。多くの手術処置は多数の工程を含み、各工程は、上記手術用コンソールのひとつ以上の機能、および、これらの機能に対する種々のパラメータもしくは下位モードの使用を伴い得る。更に、工程の個数、および、各工程により利用される上記手術システムの機能の個数は、処置毎に広範に異なり得る。故に、特定の手術処置を実施するときにユーザは、その特定の手術処置の各工程を思い出し、工程の各々に対して手術用コンソールの適切な機能を選択し、且つ、その機能に対するパラメータを適切に設定せねばならない。このためには、手術処置を実施するために手術用コンソールに対する多大な対話処理(たとえば足踏みスィッチまたは他の方法の使用)が必要とされ得る。故に、手術用コンソールに対して、処置に基づく対話処理を行うシステムおよび方法に対する要望が在る。
【特許文献１】米国特許出願第11/479,668号明細書
【発明の開示】
【０００５】
本発明の実施例によれば、手術処置を定義して該手術処置を行うシステムおよび方法であって、処置を改変および作成する先行技術のシステムおよび方法よりも更に相当に便利であり、更に直感的であり、更に融通性が高く且つ更に迅速であるというシステムおよび方法が提供される。本発明の実施例によれば、手術処置の複数の手術工程の各々は、GUI(115)を用いて定義されると共に、手術用コンソール(100)の機能に対して関係付けられ得る。定義済み手術処置は次に保存されると共に、上記手術用コンソールのユーザにより後時に呼び出されて該手術処置が行われ得る。保存された上記手術処置が呼び出されたとき、複数の定義済み手術工程がユーザに対して表示されることから、ユーザは、表示された手術工程が選択されたときに上記手術用コンソールはその手術工程に関係付けられた機能に従い設定される如く、表示された各手術工程を見ながら上記手術処置を行い得る。
【０００６】
本発明の一実施例は、後時において手術処置を行うべく呼び出され得る該手術処置の定義を許容する方法、コンピュータ可読媒体または手術システムを包含する。上記方法は、手術用コンソール上にGUIを配備する段階であって、その場合に上記GUIにより、ひとつ以上の手術工程の定義を以て手術処置が定義され且つ上記複数の手術工程は上記手術用コンソールにより提供される機能に対して関係付けられ得るという段階を備え得る。次に、上記手術処置の上記定義は保存され、且つ、後続的時点において上記手術処置を行うべくユーザにより呼び出され得る。上記手術処置が呼び出されたときに上記手術用コンソール上にはGUIが配備され、その場合に該GUIは上記ひとつ以上の手術工程を表示する。表示された手術工程がユーザにより選択されたとき、上記手術用コンソールは、その手術工程に関係付けられた機能に対して設定され得る。故に、上記GUIを用いてユーザに対して呈示された上記ひとつ以上の表示された手術工程をたどることにより、ユーザは、上記ひとつ以上の手術工程の各々に関係付けられた上記手術用コンソールの機能を利用して上記手術処置を行い得る。
【０００７】
本発明の実施例によれば、ユーザは処置に基づく模範例に従い手術用コンソールと対話処理し得るという利点が提供される。処置に基づく対話処理を利用することにより、特定の手術処置に対して必要とされる手術工程または機能のみがユーザに対して表示され得る。故に、上記インタフェースは更に簡潔で更に直感的とされ得ることから、表示内容の索行も同様に更に簡潔となり(たとえば、足踏みスィッチの如き入力デバイスに対して必要な相互作用が更に少なくなり)、且つ、手術処置は更に容易に行われ得る。斯かるインタフェースの使用が容易であることから、種々の手術処置を作成、改変、適合作成または保存するユーザの能力も促進され、同僚の間における種々の手術処置の更に良好な共有、または、同一分野の専門家によるこれらの手術処置の更に容易な評価に繋がり得る。
【発明を実施するための最良の形態】
【０００８】
本発明の好適実施例は図面中に示され、種々の図において同様の対応する部材に対しては同様の番号が使用される。
【０００９】
本発明の種々の実施例を詳述する前に、本発明の実施例を利用し得る手術用コンソールを例示することは有用であろう。図１は、眼科手術用コンソールの一実施例100の概略図である。手術用コンソール100は、タッチスクリーン115を有する旋回モニタ110を含み得る。旋回モニタ110は、タッチスクリーン115の参照を必要とする者に対して種々の配向で位置決めされ得る。旋回モニタ110は、左右に揺動し得ると共に、回転および傾斜し得る。タッチスクリーン115は、ユーザがコンソール100と対話処理できるGUIを提供する。
【００１０】
手術用コンソール100はまた、該手術用コンソール100に対して種々の用具および消耗品を接続すべく使用される接続パネル120も含んでいる。接続パネル120はたとえば、凝固物コネクタ、平衡塩溶液受容部、種々のハンドピースに対するコネクタ、および、流体管理システム(“FMS”)もしくはカセット受容器125を含み得る。手術用コンソール100はまた、(たとえばパネル130の背後に格納された)足踏みペダル式制御器および他の特定構造の如き種々のユーザ・フレンドリな特定構造も含み得る。
【００１１】
手術用コンソール100は例示的にのみ提供されており、本発明の実施例は種々の手術システムを以て実現され得る。本発明の種々の実施例が使用され得る例示的な手術システムとしては、たとえば、テキサス州、フォートワースのアルコン・ラボラトリ社(Alcon Laboratories Inc.)から入手可能なSeries 2000（登録商標）Legacy（登録商標）白内障手術システム、Accurus（登録商標）400VS手術システム、Infiniti（登録商標）Vision System手術システムが挙げられる。当業者により理解され得る様に、本発明の各実施例はタッチスクリーンを有する他の適切な手術システムにおいて実現され得る。
【００１２】
作動時においてグラフィカル・ユーザ・インタフェース(GUI)は、ユーザが手術用コンソール100と対話処理し得る如くスクリーン115上に表示され得る。一実施例において手術システムに対する上記GUIによれば、ユーザは手術用コンソール100とモード式に（モードを選択して）対話処理し得る。換言すると上記GUIは手術用コンソール100のユーザに対し、該手術用コンソール100の全ての範囲の機能に対する一群のアイコンもしくはボタンを呈示し得、その場合にユーザは手術用コンソール100の特定の機能を利用するために、これらの機能アイコンから選択を行い得る。次にユーザは、その所望機能に対する一切のパラメータもしくは下位モードを設定し、この機能を利用し得る。故に、或る手術処置の間において該手術処置の各工程に対してユーザは、手術用コンソール100と手動的に対話処理を行い、その工程に所望される機能を選択すると共に、該工程に対する一切のパラメータもしくは下位モードを設定せねばならない。そのときに理解され得る如く、手術用コンソール100に対するモード式（モード選択方式）対話処理(modal interaction)はひとつの手術処置を実施するために(たとえば足踏みペダル式制御器またはタッチスクリーン115からの)比較的に多数の入力を必要とし得ると共に、手術用コンソール100に対する上記GUI(もしくはそれに対する他の対話処理方法)は非常に不規則で細かくなり得る、と言うのも、それはユーザに対し、手術用コンソール100の全ての範囲の機能に対応する多様な選択肢を呈示するからである。
【００１３】
たとえば手術用コンソール100は、硝子体切除(Vit)、真空引き(摘出)、剪刀、粘性流体制御(VFC)および超音波式水晶体除去(水晶体切除[Fragmatome])に対する機能を含み得る。図２には、斯かる手術用コンソール100に対するモード式の対話処理のためのGUIの一実施例が示される。GUI300は、手術用コンソール100のひとつの機能に対して各々が対応するという複数のアイコン302を呈示することを銘記されたい。故に、各アイコン302により表された機能を利用するために、手術用コンソール100のユーザは所望のアイコン302を選択し得る。その場合にひとつの手術処置を実現するために、各工程に対しては、その工程に所望される機能を表すアイコン302が選択されると共に、その機能に対する一切のパラメータもしくは下位モードが設定され得る。上記手術処置の後続的工程であって手術用コンソール100の機能が所望されるという全ての連続する工程においてユーザは再び、各アイコン202から上記工程に対応する所望の機能を選択し、一切のパラメータもしくは下位モードを設定せねばならない。推測され得る様に、手術用コンソールに対する対話処理としてこれは非効率的な方法である、と言うのも、所望の機能を選択して利用するために余分な対話処理が必要とされるからである。
【００１４】
その結果、望まれるのは、手術用コンソールと対話処理を行う臨床的に使い勝手のよい方法である。その為に今や、手術用コンソールに対して処置に基づく対話処理を行うためのシステムおよび方法が注目される。本発明の実施例によれば手術用コンソールの機能を利用する手術処置の定義が許容され得、その場合に上記手術用コンソールは、表示に目を通すことでユーザが当該手術用コンソールを用いて手術処置を実現し得る如く、上記手術処置の表示された各手術工程から成る上記手術処置を表示し得る。より詳細には、ひとつの手術処置の手術工程の各々が、定義され、且つ、上記手術用コンソールの機能と関係付けられ得る。定義された手術処置は次にデータベースに保存され得ると共に、上記手術用コンソールのユーザにより後に呼び出されて上記手術処置を行い得る。保存された上記手術処置が呼び出されたとき、複数の定義済み手術工程がユーザに対して表示されることから、ユーザは、表示された手術工程が選択されたときに上記手術用コンソールはその手術工程に関係付けられた機能に従い設定される如く、表示された各手術工程をみながら上記手術処置を行い得る。
【００１５】
更に詳細には本発明の実施例は、ユーザに対して対話処理的なグラフィカル・ユーザ・インタフェース(“GUI”)を呈示するタッチスクリーン115を使用し得る。詳細にはユーザは、上記の対話処理的GUIを使用して、(たとえば後眼手術処置などの)手術処置を定義し得る。定義された手術処置は、上記手術処置を実施すべく後時に呼び出され得る。この手術処置が呼び出されたときにタッチスクリーン115上の対話処理的GUIは、ユーザに対して呈示された上記表示された手術処置の各工程を、たとえばタッチスクリーン115、足踏みペダル式制御器などを用いて索行することにより該ユーザが手術用コンソールの関連機能を用いて上記手術処置を行い得る如く、上記手術処置の各工程を該ユーザに対して表示し得る。この様な、処置に基づくインタフェースを利用することにより、手術処置の実施の間における上記手術用コンソールに対する対話処理(たとえばタッチスクリーン115または足踏みペダル式制御器を用いた入力)は更に少なくされ得る。
【００１６】
この様にしてユーザが手術処置を定義できるようにすることで、多様な利点が実現され得る。まず、ユーザに対しては、特定の手術処置を実施するために必要な工程のみが表示され得ると共に、これらの工程に対しては、その手術工程を表現もしくは定義する直感的なもしくは簡略化された名称が付与され得る。更に、手術処置に対して必要な工程のみが表示され、その場合に、上記手術用コンソールの特定の機能を呼び出すべくこれらの工程が定義され得ることから、或る手術処置を実施するために必要とされる手術用コンソールに対する対話処理の量は相当に減少され得る。付加的な利点として、(たとえば2006年6月30日に出願されて“グラフィカルドラッグアンドドロップインターフェースを使用する外科処置を変更するシステムと方法”と称されると共に、言及したことにより全ての目的に対して全体的に本明細書中に援用されるという特許文献１に示された手順に従い)ユーザが手術処置を改変、適合作成または保存することを許容することにより、ひとつの手術処置に対する特定のユーザの手法が保存されると共に、該手法は、特定の手術処置に対する他のユーザの定義と比較され、または、別のユーザに対して提供されて使用され得る。
【００１７】
この点、本発明の実施例を実現する上で使用され得る手術用コンソール100の各部分を簡潔に記述することは有用であり得る。図３は、手術機器コントローラ200(“コントローラ200”)の概略図である。コントローラ200は、手術用コンソール100の如き手術機器に積載され又は接続され得る。上記コントローラは、Intel Pentim 4系のプロセッサ(IntelおよびPentium（登録商標）はカリフォルニア州、サンタクララのインテル社の登録商標である)の如きプロセッサ202、(たとえばRAM、ROM、フラッシュ・メモリ、EEPROM、または、業界公知の他のコンピュータ可読媒体などの)一次記憶装置203、および、(たとえばハードドライブ、ディスク・ドライブ、光ドライブ、または、業界公知の他のコンピュータ可読媒体などの)二次記憶装置204を含み得る。二次記憶装置204に対するアクセスは、記憶装置コントローラ207が制御し得る。コントローラ200は、タッチスクリーン・インタフェース206の如きI/Oインタフェースを含み得る。タッチスクリーン・インタフェース206を介しての対話処理を、ビデオ・コントローラ212が制御し得る。同様に、I/Oインタフェース208および210を介しての対話処理をI/Oコントローラ214が制御し得る。コントローラ200は、種々の入力デバイスを含み得る。コントローラ200の種々の構成要素はバス226により接続され得る。
【００１８】
二次記憶装置204は、たとえば、Windows（登録商標）オペレーティング・システム(Windows（登録商標）はワシントン州、レドモンドのマイクロソフト社による登録商標である)の如きオペレーティング・システム、および、そのオペレーティング・システム上で種々のデータと共に動作するアプリケーションなどの種々のコンピュータ命令を記憶し得る。より詳細には二次記憶装置204は、処置の模範例に基づいて手術の処置の流れを制御するソフトウェア・プログラム230を記憶し得る。プロセッサ202による実行の間、プログラム230の一部は二次記憶装置204および／または一次記憶装置203に記憶され得る。
【００１９】
作動時にプログラム230はプロセッサ202により実行されることで、手術処置の定義を許容する第1表示内容を示すGUIを(たとえばモニタ110を通して)ユーザに対して提供し得る。この手術処置は、該手術処置に関して順序付けされた一群の工程の定義と、定義された各工程に対する手術用コンソール100の機能の関連付けとにより、定義され得る。上記定義済み手術処置は次に、ユーザによる後時の呼び出しのために(たとえば一次記憶装置203または二次記憶装置204へと)保存され得る。斯かる手術処置がユーザにより呼び出されたときにプログラム230は、表示された複数の定義済み工程の内のひとつをユーザが選択したときに手術用コンソール100がその工程の定義に従い設定される(たとえば、手術用コンソール100は、その工程に関連付けられた機能であって、その工程と併せて定義された一切のパラメータもしくは下位モードを包含するという機能を実施すべく設定される)如く、上記表示された一群の定義済み工程の各々を表示するGUIをユーザに対して提供し得る。故に、表示された上記手術処置の各工程に目を通すことにより、上記手術処置は、上記工程の各々に対応する上記手術用コンソールの関連機能を用いて行われ得る。
【００２０】
図３のコントローラ200は例示的にのみ配備され、且つ、本発明の実施例は種々の演算デバイスにおいてコンピュータ可読媒体に記憶された一群のコンピュータ命令として実施され得ることを理解すべきである。プログラム230はネットワークを介してデータを受信して記憶すべく実行可能とされ得ると共に、該プログラムは、多数の異なる箇所に記憶された命令であって分散様式で実行されるという命令を含み得る。図３においてはスタンドアロン・プログラムとして示されるが、プログラム230は、更に大きなプログラムのモジュールとされ得るか、相互に対してデータを通信すべく作用し得る別個の複数のプログラムを備え得るか、または、任意の適切なプログラミング構造もしくは言語に従い実現され得ることを銘記されたい。
【００２１】
次に図４に移ると、手術処置を定義する方法の一実施例に対するフローチャートが示される。ステップ410において手術用コンソールのユーザは、手術処置に対するひとつの手術工程を作成し得る。上記手術工程の作成は、該手術工程を、達成されるべき手術作業により、手術的に重要な名称(たとえば達成されるべき手術作業)により、または、その手術工程に対する他の一切の別の形式の簡略記憶記号によりラベル付けする段階を備え得る。ひとつの手術処置に対するひとつの手術工程が作成されたなら、該手術工程はステップ420にて、該手術工程がユーザにより選択されたときに手術用コンソール100が該手術用コンソールの特定機能を実施すべく設定されもしくは操作可能とされ得る如く、該特定機能と関連付けられ得る。次に、上記手術工程と併せて定義することが所望され得る(たとえば上記手術工程に対応する機能に関係付けられた)任意の特定のパラメータもしくは下位モードはステップ430にて、上記手術工程がユーザにより呼び出されたときにこれらのパラメータもしくは下位モードに従い手術用コンソール100が付加的に設定されもしくは操作可能とされ得る様に定義され得る。次に、ひとつの手術処置の複数の手術工程の各々に対し、ステップ410における作成と、ステップ420における特定機能に対する関連付けと、パラメータもしくは下位モードの定義とを行う処理は、(ステップ432にて決定される如く)上記手術処置の各手術工程の各々が完全に定義されるまで反復され得る。その時点において、定義済み手術処置はステップ440にて、記述的なまたは別様の適切な名称を利用して保存され得る。
【００２２】
次に図５に移ると、定義済み手術処置の使用法の一実施例のフローチャートが示される。ステップ510にては、定義済み手術処置が選択され得る。この手術処置はたとえば、手術用コンソール100上の一群の定義済み手術処置であって、ユーザにより定義もしくは保存され得、または、手術用コンソール100の製造者により提供され得るという一群の定義済み手術処置から選択され得る。ステップ510にて特定の定義済み手術処置が選択されたとき、次にステップ520にてはこの手術処置に対するインタフェースが表示され得ると共に、ユーザはこのインタフェースを用いてステップ530にて上記手術処置を行い得る。このインタフェースは一実施例において、上記手術処置の複数の定義済み手術工程の各々を表示するGUIから成り得る。上記GUIのユーザは、上記手術処置を実施する手術用コンソール100の入力方法を用いて、表示された複数の手術工程の各々に目を通すことができる。更に詳細には、上記表示された手術処置のひとつの手術工程がユーザにより選択されたときに手術用コンソール100は、上記手術工程が手術用コンソール100の関連機能を用いてユーザにより実施され得る如く、上記機能(および、上記手術工程に対して定義された一切の関係付けられたパラメータもしくは下位モード)に従い設定され得る。
【００２３】
此処で、斯かるインタフェースの実施例の一例を与えることは有用であり得る。図６は、(たとえばタッチスクリーン115などの)手術用コンソール・タッチスクリーン上に表示され得るGUI610の実施例を示している。図６に示された如くGUI610は、ひとつの手術処置を表示する部分を備える。たとえばGUI610は、該GUI610の処置名称部分642に表示された如く“AccurusClassic”と名付けられた手術処置に対する表示された複数の手術工程630を表示する手術処置表示内容620を備え得る。故に上記表示された手術処置の複数の手術工程630に目を通すことにより、ユーザは、上述された如く手術用コンソールの機能を用いて手術処置を実施し得る。此処で、ユーザは“硝子体切除(Vitrectomy)”と称された表示された手術工程630aを選択したことから、上記手術用コンソールはその手術工程に関係付けられた機能に対して設定され、且つ、GUI610は、その手術工程に対する上記手術用コンソールの現在の設定であって一切の下位モード(たとえば“3D”)または他の一切の設定済みパラメータを含むという設定を表示することを銘記されたい。GUI610は定義済み手術処置の使用に対するインタフェースの構成の単なる一例に過ぎないこと、および、複数の手術工程から成るひとつの手術処置は、同一のタッチスクリーン上に同時に、もしくは、異なる複数の画面上に、または、それらの一切の想起可能な組み合わせを以て現れるなどして、任意数の様式および組み合わせにて表示され得ることは理解される。
【００２４】
図７乃至図１０に移ると、手術処置の改変例が示される。図７は、“剥離および光凝固によるPPV（PPV with Delamination & PhotoCoag）”と名付けられた手術処置であって、４つの手術工程：“硝子体切除”、“膜剥離”、“膜除去”および“光凝固”の表現物630を有するという手術処置を表示するGUI610の一実施例を示している。図８においてユーザは改変ボタン810を押すことにより上記手術処置“剥離および光凝固によるPPV”を改変することを選択したので、GUI610は今や、以下の２つの区画を有する改変用画面820を示している：上記手術処置“剥離および光凝固によるPPV”を構成する現在の複数の手術工程が表示される区画830、および、上記手術処置を構成する上記表示された一群の工程に対して付加され得る一群の手術工程を表示する区画840。次に図９に移ると、ユーザは、GUI610の区画840から表示された手術工程“F/AX眼内排液(F/AX Extrusion)”910を選択し、且つ、この手術工程を、上記手術処置“剥離および光凝固によるPPV”を構成する各手術工程に付加することを選んでいる。付加された手術工程“F/AX眼内排液”は今や、上記手術処置を構成する現在の複数の手術工程を含む区画830に出現している。故に、図１０に示された如く、ユーザが上記手術処置“剥離および光凝固によるPPV”の改変を完了した後、この手術処置を構成する表示された複数の手術工程630は今や“F/AX眼内排液”の手術工程の表示を含み、且つ、ユーザは上記手術処置の間においてこの手術工程に対する上記の表示されたものを選択することによりこの工程を実施し得る。
【００２５】
本明細書において本発明は図示実施例に関して詳細に記述されたが、該記述は例示的にすぎず、限定的な意味で解釈されるべきでないことを理解すべきである。故に、この記述を参照した当業者であれば、本発明の実施例および本発明の付加的実施例の詳細における多くの変更は明らかであり且つ斯かる変更を為し得ることを更に理解すべきである。斯かる変更および付加的実施例の全ては、権利請求された本発明の有効範囲内であることが企図される。
【００２６】
なお、本出願は米国特許法第119条に基づき、2006年2月27日に出願された米国仮特許出願第60/776,998号の優先権を主張するが、その全ての内容は言及したことにより本明細書中に援用される。
【図面の簡単な説明】
【００２７】
【図１】手術用コンソールの一実施例の概略図である。
【図２】グラフィカル・ユーザ・インタフェース(GUI)の一実施例を示す図である。
【図３】手術機器に対するコントローラの一実施例の概略図である。
【図４】手術処置を定義する方法の一実施例を示すフローチャートである。
【図５】手術処置を呼び出す方法の一実施例を示すフローチャートである。
【図６】GUIの一実施例を示す図である。
【図７】GUIの一実施例を示す図である。
【図８】GUIの一実施例を示す図である。
【図９】GUIの一実施例を示す図である。
【図１０】GUIの一実施例を示す図である。
【図１】
2009528144.tif 000003
【図２】
2009528144.tif 000004
【図３】
2009528144.tif 000005
【図４】
2009528144.tif 000006
【図５】
2009528144.tif 000007
【図６】
2009528144.tif 000008
【図７】
2009528144.tif 000009
【図８】
2009528144.tif 000010
【図９】
2009528144.tif 000011
【図１０】
2009528144.tif 000012
【国際調査報告】
2009528144.tif 000013
2009528144.tif 000014
2009528144.tif 000015